(57)【要約】【課題】表示制御装置が有する表示部に表示されている第１の地図情報と、表示部とは異なる表示体に表示されている第２の地図情報との対応関係を容易に把握することができる表示制御装置を提供する。【解決手段】表示制御装置であるナビゲーション装置２は、表示部２４を備える。地図表示制御部２０１は、表示部２４に第１の地図情報を表示させる。通信部２６は、表示部２４とは異なる表示体として、携帯情報端末１の表示部１４に表示されている第２の地図情報の領域を特定するための領域データを受信する。領域表示制御部２０２は、領域データに基づいて、第１の地図情報に、第２の地図情報の領域を示す領域画像を表示させる。【選択図】図１
2018159946.tif 000002
【特許請求の範囲】
【請求項１】
第２の表示部に、地図情報を表示させる制御部と、
前記地図情報の領域を特定する位置情報と、前記第２の表示部に対する前記地図情報の方向を特定する補助データとを、前記第２の表示部とは異なる第１の表示部を備える表示制御装置に送信する送信部と、
を備えることを特徴とする送信制御装置。
【請求項２】
第２の表示部に表示されている地図情報の領域を特定する位置情報と、前記第２の表示部に対する前記地図情報の方向を特定する補助データとを、前記第２の表示部とは異なる第１の表示部を備える表示制御装置に送信する
ことを特徴とする送信制御方法。
【請求項３】
コンピュータに、
第２の表示部に表示されている地図情報の領域を特定する位置情報と、前記第２の表示部に対する前記地図情報の方向を特定する補助データとを、前記第２の表示部とは異なる第１の表示部を備える表示制御装置に送信するステップ、
を実行させることを特徴とする送信制御プログラム。
【請求項４】
地図情報の領域を特定する位置情報と、所定の方向を基準として算出された地図情報の領域に対する回転角度を特定する補助データとを送信する送信部、
を備えることを特徴とする送信制御装置。
【請求項５】
地図情報の領域を特定する位置情報と、所定の方向を基準として算出された地図情報の領域に対する回転角度を特定する補助データとを送信する
ことを特徴とする送信制御方法。
【請求項６】
コンピュータに、
地図情報の領域を特定する位置情報と、所定の方向を基準として算出された地図情報の領域に対する回転角度を特定する補助データとを送信する送信ステップ、
を実行させることを特徴とする送信制御プログラム。
【発明の詳細な説明】
【技術分野】
【０００１】
本発明は、地図情報を表示部に表示させる表示制御装置、表示制御方法、表示制御プロ
グラム、地図情報を表示させる表示制御装置に所定の画像情報を表示させるための情報を
表示制御装置に送信する送信制御装置、送信制御方法、送信制御プログラムに関する。
【背景技術】
【０００２】
地図情報を表示部に表示させる表示制御装置の一例として、ナビゲーション装置がある
。ナビゲーション装置は主として車両に搭載される。一方、携帯電話等の携帯情報端末は
、地図表示アプリケーションを搭載して、地図情報を表示させるのが一般的となっている
。
【先行技術文献】
【特許文献】
【０００３】
【特許文献１】特開２０１３−６１３４３号公報
【特許文献２】特開２００９−３００７３４号公報
【発明の概要】
【発明が解決しようとする課題】
【０００４】
ナビゲーション装置の表示部に表示されている地図情報と、携帯情報端末の表示部に表
示されている地図情報とは、地図の縮尺、地図の向き、色使い等が異なるので、仮に同じ
場所を表示していたとしても、２つの地図情報の対応関係を把握することが難しい。
【０００５】
例えば、携帯情報端末で所定の場所を検索して、携帯情報端末の表示部に検索した場所
を含む地図情報を表示させているとする。携帯情報端末の表示部に表示されている地図情
報が、ナビゲーション装置の表示部に表示されている地図情報のどこに相当するのかを知
りたい場合がある。
【０００６】
上記のように、２つの地図情報の対応関係を把握することが難しいため、携帯情報端末
の表示部に表示されている地図情報が、ナビゲーション装置の表示部に表示されている地
図情報のどこに相当するのかを認識できなかったり、認識するのに長時間かかったりする
ことがある。携帯情報端末の表示部は、ナビゲーション装置の表示部とは異なる表示体の
一例である。
【０００７】
本発明は、表示制御装置が有する第１の表示部に表示されている第１の地図情報と、前
記第１の表示部とは異なる表示体に表示されている第２の地図情報との対応関係を容易に
把握することができる表示制御装置、表示制御方法、表示制御プログラム、送信制御装置
、送信制御方法、送信制御プログラムを提供することを目的とする。
【課題を解決するための手段】
【０００８】
本発明は、第１の表示部に、第１の地図情報を表示させる地図表示制御部と、前記第１
の表示部とは異なる表示体に表示されている第２の地図情報の領域を特定する領域データ
を受信する受信部と、前記領域データに基づいて、前記第１の地図情報上に、前記第２の
地図情報の領域を示す領域画像を表示させる領域表示制御部とを備えることを特徴とする
表示制御装置を提供する。
【０００９】
本発明は、第１の表示部に第１の地図情報を表示させ、前記第１の表示部とは異なる表
示体に表示されている第２の地図情報の領域を特定する領域データを受信し、前記領域デ
ータに基づいて、前記第１の地図情報上に、前記第２の地図情報の領域を示す領域画像を
表示させることを特徴とする表示制御方法を提供する。
【００１０】
本発明は、コンピュータに、第１の表示部に第１の地図情報を表示させる表示ステップ
と、前記第１の表示部とは異なる表示体に表示されている第２の地図情報の領域を特定す
る領域データに基づいて、前記第１の地図情報上に、前記第２の地図情報の領域を示す領
域画像を表示させる表示ステップとを実行させることを特徴とする表示制御プログラムを
提供する。
【００１１】
本発明は、第１の表示部に第１の地図情報を表示させるよう構成されている表示制御装
置に、前記第１の表示部とは異なる表示体に表示されている第２の地図情報の領域を示す
領域画像を表示させるために、前記第２の地図情報の領域を特定するための領域データを
記憶する記憶部と、前記表示制御装置に前記領域データを送信する通信部とを備えること
を特徴とする送信制御装置を提供する。
【００１２】
本発明は、第２の表示部に表示されている第２の地図情報の領域を特定する領域データ
を取得し、前記領域データを、前記第２の表示部とは異なる第１の表示部を備える表示制
御装置に送信することを特徴とする送信制御方法を提供する。
【００１３】
本発明は、コンピュータに、第２の表示部に表示されている第２の地図情報の領域を特
定する領域データを取得するステップと、前記領域データを、前記第２の表示部とは異な
る第１の表示部を備える表示制御装置に送信するステップとを実行させることを特徴とす
る送信制御プログラムを提供する。
【発明の効果】
【００１４】
本発明の表示制御装置、表示制御方法、表示制御プログラム、送信制御装置、送信制御
方法、送信制御プログラムによれば、表示制御装置が第１の表示部に表示させている第１
の地図情報と、第１の表示部とは異なる表示体に表示されている第２の地図情報との対応
関係を容易に把握することができる。
【図面の簡単な説明】
【００１５】
【図１】携帯情報端末と表示制御装置の一例であるナビゲーション装置との組み合わせである第１の構成例を示すブロック図である。
【図２】図１における携帯情報端末の表示部に地図情報が表示されている状態を示す平面図である。
【図３】図１におけるナビゲーション装置の表示部に地図情報が表示されている状態を示す平面図である。
【図４】携帯情報端末の動作を説明するためのフローチャートである。
【図５】領域データの一例を示す概念図である。
【図６】ナビゲーション装置の動作を説明するためのフローチャートである。
【図７】ナビゲーション装置の表示部に表示されている地図情報に領域画像を重畳した状態を示す平面図である。
【図８】領域データと補助データの一例とを示す概念図である。
【図９】領域データと補助データの他の例とを示す概念図である。
【図１０】ナビゲーション装置の表示部に表示されている地図情報に領域画像及び方向識別画像を重畳した状態を示す平面図である。
【図１１】携帯情報端末の機種を識別するための識別情報と、領域データと、補助データとを示す概念図である。
【図１２】第１実施形態の表示制御装置の変形例であり、表示部に表示されている地図情報に端末画像を重畳させるように構成されているナビゲーション装置を示すブロック図である。
【図１３】ナビゲーション装置の表示部に表示されている地図情報に端末画像を重畳した状態を示す平面図である。
【図１４】携帯情報端末よりナビゲーション装置に端末画像データを送信する場合の領域画像表示指示信号の概略的な構成例を示す図である。
【図１５】電子ペンと表示制御装置の一例であるナビゲーション装置との組み合わせである第２の構成例を示すブロック図である。
【図１６】地図情報が印刷された印刷物の例を示す図である。
【発明を実施するための形態】
【００１６】
以下、一実施形態の表示制御装置、表示制御方法、表示制御プログラム、送信制御装置
、送信制御方法、送信制御プログラムについて、添付図面を参照して説明する。
【００１７】
＜第１の構成例＞
図１は、携帯情報端末１と表示制御装置の一例であるナビゲーション装置２との組み合
わせである第１の構成例を示している。後述するように、携帯情報端末１とナビゲーショ
ン装置２とは互いに通信するように構成されている。
【００１８】
図１において、携帯情報端末１は、制御部１０と、通信部１１，１６と、GNSS受信部１
２と、記憶部１３と、表示部１４と、操作入力部１５とを備える。
【００１９】
通信部１１は、通信網５０を介して図示していないサーバより、地図データを受信する
。通信網５０は、電話回線であってもよいし、無線ＬＡＮを介して接続されたインターネ
ット回線であってもよい。通信部１１が受信した地図データは、制御部１０を介して記憶
部１３に記憶される。
【００２０】
GNSS受信部１２は、全地球航法衛星システム（Global Navigation Satellite System: 
GNSS）用の衛星からの電波を受信する。GNSSは、一例としてＧＰＳ（Global Positioning
System）である。制御部１０は、GNSS受信部１２が電波を受信することによって生成し
た受信信号に基づいて、携帯情報端末１の位置情報を検出する。
【００２１】
通信部１１は、例えば、制御部１０が検出した位置情報に基づいて、携帯情報端末１の
現在位置を含む所定の領域の地図データを受信することができる。
【００２２】
制御部１０は、例えばＣＰＵやプロセッサである。制御部１０は、記憶部１３に記憶さ
れた地図データに基づき、表示部１４に地図情報を表示させる。なお、記憶部１３は、例
えばメモリ、ＨＤＤ、フラッシュメモリである。図２に示すように、携帯情報端末１の表
示部１４には地図情報が表示されている。表示部１４には、表示部１４の四隅である４つ
の地点Ｐ１〜Ｐ４で囲まれた矩形の領域が表示されている。
【００２３】
図２において、図２の上方が携帯情報端末１の上部、図２の下方が携帯情報端末１の下
部である。携帯情報端末１の筐体の下端部には、操作ボタン１５１が配置されている。操
作ボタン１５１は、操作入力部１５の一例である。
【００２４】
表示部１４は、例えば液晶パネルである。表示部１４の表面には、タッチパネルが設け
られている。タッチパネルは、操作入力部１５の他の例である。ユーザは、タッチパネル
を操作して、表示部１４に表示されている地図情報の範囲を移動させたり、縮尺を変更し
たりすることができる。
【００２５】
さらに図１において、通信部１６は、ナビゲーション装置２の通信部２６と、例えばWi
-Fi（登録商標）、Bluetooth（登録商標）、赤外線通信などの所定の近距離通信規格に従
って、データを送受信することができる。通信部１６は、例えばWi-Fi、Bluetooth、赤外
線通信などのインターフェイスである。
【００２６】
後述するように、通信部１６は、通信部２６に対して、表示部１４に表示されている地
図情報の地図表示領域を特定するための領域データを含む領域画像表示指示信号を送信す
る。通信部１６は、領域画像表示指示信号を送信する送信部である。
【００２７】
携帯情報端末１は、ジャイロ等の各種のセンサを備えていてもよい。携帯情報端末１の
構成は、図１に示す構成に限定されるものではない。
【００２８】
携帯情報端末１の表示部１４は、ナビゲーション装置２の表示部２４とは異なる表示体
の第１の例である。表示部２４を第１の表示部とすると、表示部１４は第２の表示部であ
る。
【００２９】
ナビゲーション装置２は、制御部２０と、GNSS受信部２２と、記憶部２３と、表示部２
４と、操作入力部２５と、通信部２６と、センサ２７とを備える。制御部２０は、機能的
な構成として、地図表示制御部２０１と、領域表示制御部２０２とを有する。
【００３０】
記憶部２３は、例えばメモリ、ＨＤＤ、フラッシュメモリである。記憶部２３は、ナビ
ゲーションプログラム２３１と、地図データ２３２と、ＰＯＩ（Point Of Interest）情
報とを記憶している。ＰＯＩ情報とは、記憶部２３に予め登録されているか、ユーザが登
録した施設や場所等の位置を示す地点情報である。
【００３１】
GNSS受信部２２は、GNSS用の衛星からの電波を受信する。制御部２０は、GNSS受信部２
２が電波を受信することによって生成した受信信号に基づいて、ナビゲーション装置２の
位置情報を検出する。
【００３２】
センサ２７は例えばジャイロセンサである。制御部２０は、センサ２７による検出信号
に基づいてナビゲーション装置２の位置情報を検出してもよく、GNSS受信部２２の受信信
号とセンサ２７による検出信号との双方に基づいてナビゲーション装置２の位置情報を検
出してもよい。センサ２７を省略した構成としてもよい。
【００３３】
地図表示制御部２０１は、地図データ２３２に基づく地図情報を表示部２４に表示させ
る。なお、表示部２４は例えば液晶パネルである。図３に示すように、ナビゲーション装
置２の表示部２４には地図データ２３２に基づく地図情報が表示されている。表示部２４
に表示されている地図情報を第１の地図情報とすると、表示部１４に表示されている地図
情報は第２の地図情報である。
【００３４】
図３では、地図情報は、ナビゲーション装置２を搭載する車両の進行方向を上にした状
態で表示されている。マークＭ１は、車両の現在位置を示す。
【００３５】
制御部２０は、ナビゲーションプログラム２３１を実行させて、所定の目的地までの経
路を地図情報に表示させることができる。制御部２０は、ＰＯＩ情報２３３の地点を地図
情報に表示させることができ、ＰＯＩ情報２３３の地点を経路案内の目的地として設定す
ることもできる。
【００３６】
図３に示すように、ナビゲーション装置２の筐体の下端部には、複数の操作ボタン２５
１が配置されている。操作ボタン２５１は、操作入力部２５の一例である。表示部２４の
表面には、操作入力部２５の他の例としてのタッチパネルが設けられていてもよい。
【００３７】
通信部２６は、例えばWi-Fi、Bluetooth、赤外線通信などのインターフェイスである。
通信部２６は、通信部１６から送信された領域画像表示指示信号を受信する。通信部２６
は、領域画像表示指示信号を受信する受信部である。
【００３８】
通信部２６が領域画像表示指示信号を受信したら、領域表示制御部２０２は、領域デー
タに基づいて、携帯情報端末１の表示部１４に表示されている地図情報の領域画像を生成
し、表示部２４に表示されている地図情報に領域画像を重畳して表示させる。
【００３９】
なお、地図情報に領域画像を重畳して表示させることは表示方法の一例であり、表示部
２４に表示されている地図情報に対して、領域画像が把握できるように表示させればよい
。
【００４０】
ナビゲーション装置２の構成は、図１に示す構成に限定されるものではない。ナビゲー
ション装置２は、表示制御装置の一例である。表示制御装置は、地図情報を表示部に表示
する表示装置であればよい。
【００４１】
図４に示すフローチャートを用いて、携帯情報端末１の動作をさらに説明する。図４に
おいて、制御部１０は、ステップＳ１１にて、操作入力部１５によって地図表示を指示す
る操作入力がなされたか否かを判定する。
【００４２】
地図表示を指示する操作入力がなされたら（YES）、制御部１０は、ステップＳ１２に
て、表示部１４に地図情報を表示させる。地図表示の操作入力がなされなかったら（NO）
、制御部１０は、ステップＳ１１の処理を繰り返す。
【００４３】
制御部１０は、ステップＳ１３にて、操作入力部１５によってナビゲーション装置２に
領域画像を表示させる操作入力がなされたか否かを判定する。領域画像を表示させる操作
入力がなされたら（YES）、制御部１０は、処理をステップＳ１４に移行させ、領域画像
を表示させる操作入力がなされなかったら（NO）、制御部１０は、処理をステップＳ１８
に移行させる。
【００４４】
また、携帯情報端末１とナビゲーション装置２とが接続されたら、自動的に領域画像を
表示させる操作入力がなされたものと判定してもよい。
【００４５】
制御部１０は、ステップＳ１４にて、表示部１４に表示されている地図表示領域を特定
する領域データを取得する。即ち、制御部１０は、ステップＳ１４にて、図２に示す地点
Ｐ１〜Ｐ４を示す位置情報を取得する。表示部１４に表示されている地図情報の四隅の位
置情報は容易に取得することができる。
【００４６】
図５は、地点Ｐ１〜Ｐ４の位置情報よりなる領域データの一例である。図５は、領域デ
ータを概念的に示している。地点Ｐ１〜Ｐ４の位置情報は、緯度と経度との組み合わせよ
りなる。なお、図５で示した緯度と経度は正の数字であるので北緯と東経を表しているが
、負の数字だった場合にはそれぞれ南緯と西経を表す。また、北緯、南緯、東経、西経と
してデータを保持してもよい。
【００４７】
制御部１０は、ステップＳ１５にて、ナビゲーション装置２に領域データを含む領域画
像表示指示信号を送信するよう通信部１６を制御する。領域画像表示指示信号は、例えば
、ナビゲーション装置２の表示部２４に、表示部１４に表示されている地図情報の領域を
示す領域画像を表示させることを指示するフラグと、領域データとを含むデータ列として
構成することができる。
【００４８】
制御部１０は、ステップＳ１６にて、操作入力部１５によって領域画像の表示を終了す
ることを指示する領域画像表示解除の操作入力がなされたか否かを判定する。領域画像表
示解除の操作入力がなされなかったら（NO）、制御部１０は、処理をステップＳ１４に戻
して、ステップＳ１４〜Ｓ１６の処理を繰り返す。
【００４９】
領域画像表示解除の操作入力がなされたら（YES）、制御部１０は、ステップＳ１７に
て、ナビゲーション装置２への領域画像表示指示信号の送信を停止するよう通信部１６を
制御する。
【００５０】
制御部１０は、ステップＳ１８にて、操作入力部１５によって地図情報の表示を終了す
ることを指示する地図表示解除の操作入力がなされたか否かを判定する。地図表示解除の
操作入力がなされなかったら（NO）、制御部１０は、処理をステップＳ１２に戻して、ス
テップＳ１２以降の処理を繰り返す。
【００５１】
地図表示解除の操作入力がなされたら（YES）、制御部１０は、ステップＳ１９にて、
地図表示を解除して処理をステップＳ１１に戻す。
【００５２】
図６に示すフローチャートを用いて、ナビゲーション装置２の動作をさらに説明する。
ナビゲーション装置２は、表示部２４にナビゲーション装置２の現在位置周辺の地図情報
を表示しているとする。
【００５３】
図６において、制御部２０は、ステップＳ２１にて、携帯情報端末１より領域画像表示
指示信号を受信したか否かを判定する。制御部２０は、領域画像表示指示信号を受信した
ら（YES）、処理をステップＳ２２に移行させ、領域画像表示指示信号を受信しなかった
ら（NO）、ステップＳ２１の処理を繰り返す。
【００５４】
制御部２０は、ステップＳ２２にて、領域画像表示指示信号に含まれる領域データを解
析し、ステップＳ２３にて、表示部２４に表示している地図情報における、表示部１４に
表示されている地図情報の地図表示領域を示す地点Ｐ１〜Ｐ４の位置を探索する。
【００５５】
制御部２０は、ステップＳ２４にて、表示部１４の地図表示領域は、表示部２４に表示
している地図情報の範囲内にあるか否かを判定する。範囲内にあれば（YES）、制御部２
０（領域表示制御部２０２）は、ステップＳ２５にて、図７に示すように、表示している
地図情報に領域画像１４１を表示させる。
【００５６】
図７に示す領域画像１４１は、表示部２４に表示させる領域画像の一例である。領域画
像１４１の四隅は、図２における地点Ｐ１〜Ｐ４の位置に対応する。
【００５７】
ユーザは、領域画像１４１によって、携帯情報端末１の表示部１４に表示されている地
図情報が、表示部２４に表示されている地図情報のどこであるのかを瞬時に認識すること
ができる。ユーザは、表示部１４に表示されている地図情報と表示部２４に表示されてい
る地図情報との対応関係を容易に把握することができる。
【００５８】
図６に戻り、ステップＳ２４にて、表示部１４の地図表示領域が表示部２４に表示して
いる地図情報の範囲内でなければ（NO）、制御部２０（領域表示制御部２０２）は、ステ
ップＳ２６にて、表示部２４に、領域画像１４１を表示できないことを示す例えば文章を
表示させる。文章の代わりにマーク等の画像であってもよい。視覚情報に代えて、または
、視覚情報に加えて、聴覚情報を用いてもよい。
【００５９】
なお、表示部１４の地図表示領域が表示部２４に表示している地図情報とは異なる場所
である場合には、表示部１４の地図表示領域が表示部２４に表示している地図情報の範囲
外となり、領域画像１４１を表示することができない。
【００６０】
また、表示部１４に地図情報を小さくして広範囲の領域を表示している場合には、表示
部１４の地図表示領域が表示部２４に表示している地図情報よりも広範囲となって、領域
画像１４１を表示することができないことがある。
【００６１】
ステップＳ２６は必ずしも設けなくてもよく、省略可能である。表示部２４に領域画像
１４１を表示できないことを通信部２６から通信部１６へと通知して、表示部１４に領域
画像１４１を表示できないことを示す文章等を表示させるようにしてもよい。同様に、視
覚情報に代えて、または、視覚情報に加えて、聴覚情報を用いてもよい。
【００６２】
制御部２０は、ステップＳ２５，Ｓ２６に続けて、ステップＳ２７にて、携帯情報端末
１からの領域画像表示指示信号が停止したか否かを判定する。領域画像表示指示信号が停
止しなかったら（NO）、制御部２０は、ステップＳ２２に戻して、ステップＳ２２〜Ｓ２
７の処理を繰り返す。
【００６３】
なお、ステップＳ２５において、既に領域画像１４１を表示できないことを示す文章等
が表示されている場合には、領域表示制御部２０２は、文章等を消去して領域画像３１を
表示させればよい。ステップＳ２６において、既に領域画像１４１が表示されている場合
には、領域表示制御部２０２は、領域画像１４１を消去して領域画像１４１を表示できな
いことを示す文章等を表示させればよい。
【００６４】
ステップＳ２７にて領域画像表示指示信号が停止したら（YES）、制御部２０は、ステ
ップＳ２８にて、領域画像１４１または領域画像１４１を表示できないことを示す文章等
を消去して、ステップＳ２１に戻し、ステップＳ２１以降の処理を繰り返す。
【００６５】
ところで、図７に示す領域画像１４１では、携帯情報端末１の上下方向と図７の左右に
位置する短辺との関係を認識しにくい。そこで、領域画像１４１には、携帯情報端末１の
上下方向と左右の短辺との関係を認識するための補助的なマークを追加することが好まし
い。
【００６６】
図８は、補助的なマークを追加する場合に、地点Ｐ１〜Ｐ４の位置情報よりなる領域デ
ータに追加すべき補助データの一例を示している。地点Ｐ５は、地点Ｐ１，Ｐ２を結ぶ線
の中央の位置を示す位置情報である。即ち、地点Ｐ５は、表示部１４に表示されている地
図情報の上方を示す。
【００６７】
図９は、補助データの他の例を示している。図９に示す補助データは、北を基準の方向
として地図情報を時計回りに回転させたときの回転角度を示している。ここでは回転角度
は３０２度であり、表示部１４に表示されている地図情報は、北を基準として時計回りに
３０２度で回転させた状態であることを示している。地図情報の回転角度も容易に取得す
ることができる。
【００６８】
通信部１６は、図８または図９に示す領域データ及び補助データを含む領域画像表示指
示信号を通信部２６へと送信する。通信部２６は、領域データ及び補助データを含む領域
画像表示指示信号を受信する。
【００６９】
領域画像表示指示信号が補助データを含む場合には、制御部２０（領域表示制御部２０
２）は、ステップＳ２５にて、図１０に示すように、表示している地図情報に領域画像１
４１と、補助データに基づいて例えば上方向を示すマークＭ２を表示させる。マークＭ２
は、方向識別画像の一例である。
【００７０】
図１０では、マークＭ２を矢印としているが、マークの種類は特に限定されない。地点
Ｐ５は表示部１４に表示されている地図情報の上方を示すが、計算によって下方の位置を
求めて、領域画像１４１に、下方向を示すマークを付加してもよい。領域画像１４１内の
下方に操作ボタン１５１に相当するマークを付加してもよい。
【００７１】
図９に示す回転角度を用いて、領域画像１４１内の下方にマークを付加する場合には、
３０２度−１８０度より１２２度の方向で、領域画像１４１と交差する位置付近にマーク
を付加すればよい。また、領域画像１４１は、地図情報に対して異なる色彩や明るさで表
示させてもよい。
【００７２】
他の例として、領域表示制御部２０２は、領域画像１４１の代わりに、表示部２４に表
示されている地図情報に上下方向を特定することができる領域画像を表示してもよい。上
下方向を特定することができる領域画像は、一例として、携帯情報端末１の平面的な外観
形状を示す端末画像である。
【００７３】
地図情報に端末画像を表示するには、次のようにすればよい。通信部１６は、図１１に
示すように、携帯情報端末１の機種を識別するための識別情報と、領域データと、補助デ
ータとを含む領域画像表示指示信号を通信部２６へと送信する。図１１では、補助データ
を回転角度としているが、図８に示す地点Ｐ５を示す位置情報であってもよい。
【００７４】
端末画像を表示するナビゲーション装置２は、例えば図１２に示すように構成される。
図１２では、図１と異なる点のみを説明する。記憶部２３は、携帯情報端末１及びその他
の複数の携帯情報端末の平面的な外観形状を示す端末画像データ２３４を記憶している。
【００７５】
記憶部２３は、予め、市販されている各種の携帯情報端末の端末画像を示す端末画像デ
ータ２３４を記憶している。または、通信部２８が通信網６０を介して図示していないサ
ーバより各種の携帯情報端末の端末画像データを受信し、制御部２０が記憶部２３に端末
画像データ２３４として記憶させてもよい。
【００７６】
さらには、予め記憶部２３が端末画像データ２３４を記憶し、新たな機種の携帯情報端
末が市販された場合に、通信部２８が新たな機種の携帯情報端末の端末画像データを受信
して、制御部２０が端末画像データ２３４に新たな端末画像データを追加するように構成
してもよい。
【００７７】
通信網６０は、図１に示す通信網５０と同じ通信網であってもよいし、異なる通信網で
あってもよい。通信網６０は、電話回線であってもよいし、無線ＬＡＮを介して接続され
たインターネット回線であってもよい。
【００７８】
通信部２６が携帯情報端末１の機種を識別するための識別情報を含む領域画像表示指示
信号を受信したら、制御部２０は、記憶部２３の端末画像データ２３４より該当する端末
画像データを読み出す。
【００７９】
領域表示制御部２０２は、図１３に示すように、表示部２４に表示されている地図情報
に、端末画像データに基づく端末画像１４２を表示させる。このとき、領域表示制御部２
０２は、端末画像１４２を、地図情報における領域データが示す位置に、補助データに基
づいて特定される方向に表示させる。
【００８０】
端末画像１４２は、端末画像１４２と重なっている部分の地図情報を見やすくするため
、半透明の画像としたり、輪郭線のみの画像としたりするのがよい。端末画像１４２がマ
ークＭ１と重なる場合は、マークＭ１が隠れないようにマークＭ１が端末画像１４２の上
側の状態で表示させるのがよい。
【００８１】
端末画像１４２は、携帯情報端末１の平面的な外観形状を忠実に再現する必要はなく、
携帯情報端末１の正面画像を概略的に示す画像であればよい。
【００８２】
ナビゲーション装置２の記憶部２３が端末画像データ２３４を保持する代わりに、携帯
情報端末１が端末画像データをナビゲーション装置２に送信してもよい。この場合、通信
部１６は、図１４に示すように、領域画像表示指示信号であることを示すフラグと、領域
データと、補助データと、端末画像データとを含む領域画像表示指示信号を通信部２６へ
と送信すればよい。
【００８３】
携帯情報端末１は、記憶部１３に自身の端末画像データを予め記憶しておいてもよいし
、通信部１１が通信網５０を介してサーバより自身の端末画像データを受信して、制御部
１０が記憶部１３に記憶させてもよい。
【００８４】
以上により、第１の構成例によれば、ナビゲーション装置２が有する表示部２４に表示
されている地図情報と、携帯情報端末１が有する表示部１４に表示されている地図情報と
の対応関係を容易に把握することができる。
【００８５】
＜第２の構成例＞
図１５は、電子ペン３とナビゲーション装置２との組み合わせである第２の構成例を示
している。電子ペン３と後述する印刷物は、ナビゲーション装置２と近距離に位置してい
る。
【００８６】
第２の構成例は、ナビゲーション装置２の表示部２４とは異なる表示体が雑誌等の印刷
物であり、印刷物に印刷された地図情報が示す領域を表示部２４に表示させるように構成
したものである。
【００８７】
図１５において、ナビゲーション装置２の構成及び動作は図１に示すナビゲーション装
置２のそれと同じである。図１５に示すように、電子ペン３は、制御部３０と、通信部３
６と、記憶部３３と、表示部１４と、赤外線照射部３７と、読取部３８とを備える。
【００８８】
記憶部３３は、図１６に示す印刷物４に印刷された地図情報固有の識別番号と、地図情
報の領域データとを対応させたデータベース３３０を記憶している。電子ペン３が携帯情
報端末１の通信部１１と同様の通信部を備え、データベース３３０と同様のデータベース
を記憶しているサーバと通信するように構成されていてもよい。
【００８９】
図１６に示すように、印刷物４には、印刷情報として地図情報４１を有する。印刷物４
の紙面には、赤外線を吸収するインクを用いて細かい複数のドットよりなるドットパター
ンが印刷されている。ドットパターンは、それぞれの地図情報に固有の識別番号を表す。
ドットパターンの詳細な構成は、特許文献２に記載されている。
【００９０】
ドットパターンはユーザが視認できない状態であるか、視認できたとしても、ユーザが
地図情報４１や文章情報を読むのに支障がない状態とされている。
【００９１】
ユーザが電子ペン３の先端を地図情報４１に当てると、赤外線照射部３７より発せられ
た赤外線が地図情報４１に照射される。ユーザが図示していない操作ボタンを操作したと
きに、赤外線が照射されるように構成するのがよい。
【００９２】
赤外線はドットパターンで吸収され、ドットパターン以外の紙面で反射する。読取部３
８は、反射した赤外線に基づいてドットパターンを読み取る。
【００９３】
制御部３０は、データベース３３０を参照して、読み取ったドットパターンが示す識別
番号に対応する領域データを読み出す。領域データは、図２に示す地点Ｐ１〜Ｐ４の位置
情報と同様に、地図情報４１の四隅の地点を示す位置情報である。
【００９４】
データベース３３０に、地図情報の識別番号と、地図情報の領域データ及び地図情報の
上方向または下方向を示すための補助データとを対応させて記憶させてもよい。
【００９５】
通信部３６は、制御部３０による制御に基づき、第１の構成例と同様に、通信部２６に
対して、印刷物４の地図情報４１の地図表示領域を特定するための領域データを含む領域
画像表示指示信号を送信する。ナビゲーション装置２は、第１の構成例と同様に、領域デ
ータに基づいて、表示部２４に表示されている地図情報に領域画像を表示させる。
【００９６】
地図情報４１は四角形であるが、印刷物４に印刷されている地図情報の形状は五角形以
上の多角形や円形、星形等、種々の形状である場合がある。四角形以外の形状の場合には
、それぞれの形状に対応した領域データとすればよい。
【００９７】
以上により、第２の構成例によれば、ナビゲーション装置２が有する表示部２４に表示
されている地図情報と、印刷物４に印刷されている地図情報との対応関係を容易に把握す
ることができる。
【００９８】
図１，図１５に示すナビゲーション装置２において、制御部２０をマイクロコンピュー
タによって構成し、ナビゲーション装置２の動作をコンピュータプログラム（表示制御プ
ログラム）によって実行させてもよい。
【００９９】
具体的には、表示部２４と通信部２６（受信部）とを備えるナビゲーション装置２（表
示制御装置）に搭載されているコンピュータに、以下のステップを実行させればよい。
【０１００】
コンピュータは、表示ステップとして、表示部２４に第１の地図情報を表示させる。通
信部２６が、表示部２４とは異なる表示体に表示されている第２の地図情報の領域を特定
するための領域データを受信したら、コンピュータは、判別ステップとして、領域データ
によって特定される第２の地図情報の領域が、第１の地図情報のどの位置に対応するかを
判別させる。図６のステップＳ２３は、判別ステップに相当する。
【０１０１】
コンピュータは、表示ステップとして、判別ステップにて判別された第１の地図情報の
位置に、第２の地図情報の領域を示す領域画像を表示させる。図６のステップＳ２５は、
表示ステップに相当する。
【０１０２】
本発明は以上説明した本実施形態に限定されるものではなく、本発明の要旨を逸脱しな
い範囲において種々変更可能である。
【符号の説明】
【０１０３】
１  携帯情報端末
２  ナビゲーション装置（表示制御装置）
４  印刷物（表示体）
１４  表示部（表示体，第２の表示部）
１６  通信部（送信部）
２４  表示部（第１の表示部）
２６  通信部（受信部）
２０１  地図表示制御部
２０２  領域表示制御部
【図１】
2018159946.tif 000003
【図２】
2018159946.tif 000004
【図３】
2018159946.tif 000005
【図４】
2018159946.tif 000006
【図５】
2018159946.tif 000007
【図６】
2018159946.tif 000008
【図７】
2018159946.tif 000009
【図８】
2018159946.tif 000010
【図９】
2018159946.tif 000011
【図１０】
2018159946.tif 000012
【図１１】
2018159946.tif 000013
【図１２】
2018159946.tif 000014
【図１３】
2018159946.tif 000015
【図１４】
2018159946.tif 000016
【図１５】
2018159946.tif 000017
【図１６】
2018159946.tif 000018